(57)【要約】【課題】例えば地震等による振動や風圧等に対しても耐久性および安定性のよいＡＬＣパネル等の壁パネルの取付構造を提供する。【解決手段】建物の上下の梁材１等にそれぞれアングル材２を取付け、下側のアングル材２の縦片２ａに溶接等で固着した受プレート３上に壁パネルＰの下端を載置すると共に、上側のアングル材２の縦片に上部を溶接等で固着した支持プレート４に壁パネルＰの上部を連結ボルト５で揺動可能に支持させ、支持プレート４の左右両側の上記アングル材２と壁パネルＰとの間に支持プレート４の厚さ寸法よりも大きい間隔保持スペーサ９を介在させて支持プレートと壁パネルとの間に空隙Ｓ１を形成すると共に、支持プレート４の下端部に折曲部４ａを設けて壁パネルＰに当接させると共に、支持プレート４のほぼ中央部に壁パネルＰを上記連結ボルト５で揺動可能に支持させたことを特徴とする。【選択図】  図１
2008196125.tif 000002
【特許請求の範囲】
【請求項１】
建物の上下の梁材等にそれぞれ縦片と横片とからなるアングル材を取付け、下側のアングル材の縦片に溶接等で固着した受プレート上に壁パネルの下端を載置すると共に、上側のアングル材の縦片に上部を溶接等で固着した支持プレートに上記壁パネルの上部を連結ボルトで揺動可能に支持させた壁パネルの支持構造において、
上記支持プレートの左右両側の上記アングル材と壁パネルとの間に上記支持プレートの厚さ寸法よりも大きい間隔保持スペーサを介在させて上記支持プレートと壁パネルとの間に空隙を形成すると共に、上記支持プレートの下端部に折曲部を設けて上記壁パネルに当接させると共に、上記支持プレートのほぼ中央部に上記壁パネルを上記連結ボルトで揺動可能に支持させたことを特徴とする壁パネルの取付構造。
【請求項２】
上記間隔保持スペーサは、薄い金属板を断面逆Ｕ字状に屈曲形成して上記アングル材の縦片に挿入係合させる構成とし、その間隔保持スペーサの少なくとも壁パネルとの当接面側に突部を設けてなる請求項１に記載の壁パネルの取付構造。
【請求項３】
上記壁パネルの下部に上記アングル材の縦片に係合する係止プレートを設け、その係止プレートの上部に設けた折曲部を上記壁パネルに当接させると共に、上記係止プレートの中央部を取付ボルト等で上記壁パネルに取付けてなる請求項１に記載の壁パネルの取付構造。
【発明の詳細な説明】
【技術分野】
【０００１】
本発明は、例えばＡＬＣ（軽量気泡コンクリート）パネル等の壁パネルを建物の外壁や間仕切壁等として取付ける場合の取付構造に関する。
【背景技術】
【０００２】
従来、ＡＬＣパネル等の壁パネルを建物の外壁や間仕切壁として取付ける場合の取付構造は種々提案されており、その１つとして建物の上下の梁材等にアングル材を取付け、そのアングル材に受プレートや支持プレート等を介して壁パネルを揺動可能に取付けるようにしたものは知られている（例えば下記特許文献１参照）。
【０００３】
図７および図８は上記のような壁パネルの取付構造の一例を示すもので、Ｈ型鋼等よりなる上下の梁材１の上面に、縦片２ａと横片２ｂとよりなるアングル材２を溶接等で取付け、下側のアングル材２の縦片２ａに溶接等で固着した受プレート３上に壁パネルＰの下端を載置すると共に、上側のアングル材２の縦片２ａに上部を溶接等で固着した支持プレート４に壁パネルＰの上部中央部を連結ボルト５等で揺動可能に支持させた構成である。
【０００４】
また上記壁パネルＰの下部のアングル材１側に、イナズマプレート等の係止プレート６を取付ボルト７等で取付け、その係止プレート６の下端を上記アングル材２の縦片２ａに係合させることによって、上記壁パネルＰの厚さ方向の移動を阻止すると共に、壁パネルＰの下部が上記縦片２ａに沿って摺動するのを許容するように構成されている。
【０００５】
図７において、８ａ，８ｂは壁パネルＰの上下端部に形成した孔ｈ内に挿入したアンカーで、その各アンカー８ａ，８ｂに形成した雌ねじ穴（不図示）にそれぞれ上記連結ボルト５と取付ボルト７の先端部がねじ込まれている。図中、９は上記受プレート３および支持プレート４の両側方においてアングル材２上に設けた該アングル材２と壁パネルＰとの間隔保持スペーサで、その間隔保持スペーサ９の厚さ、すなわち上記アングル材２と壁パネルＰとの間隔は一般に上記支持プレート４とほぼ同等に形成されている。
【０００６】
上記のように従来の壁パネルの取付構造は、壁パネルの下端部を受プレート３上に載置して、上部を支持プレート４に連結ボルト５等で揺動可能に取付けると共に、下部に取付けた係止プレート６をアングル材２の縦片２ａに摺動可能に係合保持させた構成であるから、例えば上記建物が地震等の振動で横揺れ等が生じた場合には、上記壁パネルＰの厚さ方向の移動は阻止されるが、パネルの面方向には上記連結ボルト５を中心に揺動して壁パネルＰに作用する振動や衝撃を緩和することができるものである。
【０００７】
【特許文献１】特開平１１−２５６７３７号公報
【発明の開示】
【発明が解決しようとする課題】
【０００８】
ところが、上記従来のものは、上記支持プレート４のほぼ全面に壁パネルＰを密着させた状態で連結ボルト５等で揺動可能に取付ける構成であるから、上記支持プレート４と壁パネルＰとの接触摩擦力が大きく、地震等の振動で壁パネルＰが連結ボルト５を中心として揺動する際の動きを妨げたり、円滑な揺動動作に支障を来す等のおそれがあった。また風圧や地震などによって壁パネルＰに、その厚さ方向の力が作用した場合には該壁パネルＰが支持プレート４に強く押し付られ、壁パネルＰの連結ボルト５との接触部に大きな荷重が加わって、パネルにひび割れが生じたり、破損する等のおそれあった。
【０００９】
本発明は上記の問題点に鑑みて提案されたもので、地震等による振動や風圧等が作用した場合にも壁パネルが円滑に揺動して該パネルに作用する振動や衝撃を良好に緩衝することができると共に、連結ボルトとの接触部等で壁パネルがひび割れしたり、破損するのを良好に防止することのできる壁パネル取付構造を提供することを目的とする。
【課題を解決するための手段】
【００１０】
上記の目的を達成するために本発明による壁パネルの取付構造は、以下の構成としたものである。すなわち、建物の梁材等に縦片と横片とからなるアングル材を設け、そのアングル材の縦片に上部を溶接等で固着した支持プレートに壁パネルの上部を連結ボルトで揺動可能に支持させた壁パネル支持構造において、上記支持プレートの左右両側の上記アングル材と壁パネルとの間に、上記支持プレートの厚さ寸法よりも大きい間隔保持スペーサを介在させて上記支持プレートと壁パネルとの間に隙間を設け、上記支持プレートの下端部に設けた折曲部を上記壁パネルに当接させると共に、上記支持プレートのほぼ中央部に上記壁パネルを上記連結ボルトで揺動可能に支持させたことを特徴とする。
【発明の効果】
【００１１】
上記のように支持プレートと壁パネルとの間に空隙を設けると共に、上部をアングル材に固着した支持プレートの下端部を、折曲部を介して壁パネルに当接させ、その支持プレートのほぼ中央部に連結ボルトを挿通して上記壁パネルを揺動可能に支持させたことによって、例えば風圧や地震などの外力が上記壁パネルに加わった場合においても、その壁パネルと、それ支持する支持プレートとの間に設けた上記の空隙によって支持プレートや連結ボルトに作用する応力や荷重を軽減することができると共に、上記壁パネルの連結ボルト挿通部に無理な力が作用してパネルにひび割れが生じたり破損するのを防止することが可能となる。
【００１２】
また、上記のように壁パネルと支持プレートとの間に空隙を設けたことによって、壁パネルと支持プレートとの接触抵抗が軽減され、例えば地震等の振動で壁パネルが上記連結ボルトを中心に揺動する際にも円滑に揺動して地震等による振動や衝撃を良好に緩和することができる。さらに例えば地震や風圧等による建物の層間変形で壁パネルに面外方向の力が作用した場合には、上記連結ボルトを介して支持プレートに作用する応力は、前記従来のように壁パネルを支持プレートに密着させて取付けた場合に比べて小さくできると共に、上記支持プレートは、アングル材に対する取付位置と、壁パネルとの当接位置との間隔が大きいので弾性変形し易く、上記の層間変形で壁パネルに面外方向の大きな力が作用した場合にも上記支持プレートは良好に追従変形して上記の応力を軽減できるので耐震性や耐久性を大幅に向上させることができる等の効果がある。
【発明を実施するための最良の形態】
【００１３】
以下、本発明による壁パネルの取付構造を図に示す実施形態に基づいて具体的に説明する。図１は本発明による壁パネルの取付構造の一実施形態を示す縦断面図、図２はその一部の斜視図、図３（ａ）は図１の一部の拡大図、同図（ｂ）は間隔保持スペーサ装着部の縦断面図であり、前記図７および図８と同様の機能を有する部材には同一の符号を付して説明する。
【００１４】
本実施形態による壁パネルの取付構造は、前記従来例と同様にＩ型鋼等よりなる上下の梁材１の上面に、縦片２ａと横片２ｂとよりなるアングル材２を溶接等で取付け、下側のアングル材２の縦片２ａに溶接等で固着した受プレート３上に壁パネルＰの下端を載置すると共に、上側のアングル材２の縦片２ａに溶接等で固着した支持プレート４に壁パネルＰの上部中央部を連結ボルト５等で揺動可能に支持させた構成である。
【００１５】
上記受プレート３は、図の場合は、その一端側に所定の間隔をおいて設けた一対の上向きの折曲部３ａ・３ａをアングル材２の縦片２ａに溶接等で固着した構成であり、また上記支持プレート４は、その上端部４ｂを上記両折曲部３ａ・３ａ間に配置した状態で上記アングル材２の縦片２ａに溶接等で固着した構成であるが、上記受プレート３および支持プレート４のアングル材２への取付構造および取付手段等は適宜変更可能である。
【００１６】
上記受プレート３および支持プレート４の両側方のアングル材２上には、図２および図４に示すように前記従来例と同様に該アングル材２と壁パネルＰとを所定の間隔に保つ間隔保持スペーサ９が設けられている。その間隔保持スペーサ９の厚さ、すなわち上記アングル材２と壁パネルＰとの間隔は、従来は前述のように一般に支持プレート４とほぼ同等に形成されているが、本発明においては支持プレート４の厚さ寸法よりも大きく（厚く）形成したものである。
【００１７】
特に、図示例の間隔保持スペーサ９は、図３（ｂ）および図５に示すように薄い金属板を断面逆Ｕ字状に屈曲させて、その対向片９１・９２間にアングル材２の縦片２ａを挿入して該アングル材２に保持させる構成である。上記間隔保持スペーサの少なくとも壁パネルとの当接面側には突部を設けるもので、図の場合は上記アングル材２と壁パネルＰとの間に介在される対向片９１に、アングル材２側と壁パネルＰ側とに突出する突部９１ａと９１ｂとを設けた構成である。それによって図３（ｂ）に示すアングル材２と壁パネルＰとの間に介在される間隔保持スペーサ９の厚さ寸法を、同図（ｂ）に示す支持プレート４の厚さ寸法よりも大きく形成したものである。なお、上記突部９１ａと９１ｂとの配置位置は、図５（ｃ）のように互いに反対になるようにしてもよい。図中、９２ａは上記間隔保持スペーサ９を縦片２ａに挿入する際の挿入ガイド用の折曲部である。
【００１８】
上記のようにアングル材２と壁パネルＰとの間に介在される間隔保持スペーサ９の厚さ寸法を、支持プレート４の厚さ寸法よりも大きく形成したことによって、図３（ａ）に示すように支持プレート４と壁パネルＰとの間に所定の大きさの空隙Ｓ１が形成される。そして上記支持プレート４の下端部に折曲部、図の場合は略√字状の折曲部４ａを一体に形成して、該折曲部４ａを介して上記支持プレート４の下端部を壁パネルに当接させると共に、アングル材２の縦片２ａに溶接等で固着した該支持プレート４の上部との間の上下方向ほぼ中央部に前記の連結ボルト５を挿通して壁パネルＰを揺動可能に取付けたものである。
【００１９】
以上のようにして支持プレート４と壁パネルＰとの間に空隙Ｓ１を設けると共に、上部をアングル材２に固着した支持プレート４の下端部を、折曲部４ａを介して壁パネルＰに当接させ、その支持プレート４の上下方向ほぼ中央部に連結ボルト５を挿通して上記壁パネルＰを揺動可能に支持させると、例えば風圧や地震などの外力が上記壁パネルＰに加わった場合においても、その壁パネルＰと、それ支持する支持プレート４との間に設けた上記の空隙Ｓ１によって支持プレート４や連結ボルト５に作用する応力や荷重を軽減することができると共に、上記壁パネルＰの連結ボルト挿通部に無理な力が作用してパネルＰにひび割れが生じたり破損するのを防止することができる。
【００２０】
また、上記のように壁パネルＰと支持プレート４との間に空隙Ｓ１を設けたことによって、壁パネルＰと支持プレート４との接触抵抗が軽減され、例えば地震等の振動で壁パネルＰが連結ボルト５を中心に揺動する際にも円滑に揺動して地震等による振動や衝撃を良好に緩和することができる。さらに例えば地震や風圧等による建物の層間変形で壁パネルに面外方向の力が作用した場合には、上記連結ボルトを介して支持プレートに作用する応力は、前記従来のように壁パネルを支持プレートに密着させて取付けた場合に比べて小さくできると共に、上記支持プレート４は、アングル材２に対する取付位置と、壁パネルＰとの当接位置との間隔が大きいので弾性変形し易く、上記の層間変形で壁パネルに面外方向の大きな力が作用した場合にも良好に追従変形して上記の応力を軽減できるので耐震性や耐久性を大幅に向上させることができるものである。
【００２１】
なお、壁パネルＰの下部のアングル材２側には、前記従来例と同様に、係止プレート６を取付ボルト７等で取付け、その係止プレート６の下端を上記アングル材２の縦片２ａに係合させることによって上記壁パネルＰがその厚さ方向に移動するのを阻止すると共に、上記壁パネルＰが縦片２ａに沿って摺動するのを許容するように構成するもので、その係止プレート６と壁パネルＰとの間にも空隙Ｓ２を設けるようにしてもよい。
【００２２】
図に示す実施形態は、図１および図３（ａ）に示すように係止プレート６の上部に、前記支持プレート４の下部とほぼ同様の略√字状の折曲部６ａを一体に形成して、その折曲部６ａを介して係止プレート６の上部を壁パネルＰに当接させる構成とし、その係止プレート６の上部と、アングル材２の縦片２ａに当接させた下部との間の中間部において、壁パネルＰとの間に空隙Ｓ２を形成すると共に、上記係止プレートの中間部に前記の取付ボルト７を挿通して上記係止プレート６を壁パネルＰに取付けたものである。
【００２３】
上記のように取付ボルト７を挿通する係止プレート６の中間部と壁パネルＰとの間にも空隙Ｓ２を設けると、上記係止プレート６の取付け荷重が取付ボルト７の近傍の壁パネルＰに集中することがなく、また例えば風圧や地震などの外力が壁パネルＰに加わった場合においても、上記の空隙Ｓ２によって係止プレート６やその取付ボルト７に作用する応力や荷重を軽減することができると共に、壁パネルＰの上記取付ボルト７の挿通部に無理な力が作用してパネルにひび割れが生じたり破損するのを防止することができる。
【００２４】
また例えば地震や風圧等による建物の層間変形で壁パネルＰに面外方向の力が作用した場合には、上記取付ボルト７を介して係止プレート６に作用する応力は、前記従来のように係止プレート６の上記取付ボルト７による壁パネルＰへの取付部を該壁パネルＰに密着させた場合に比べて小さくできると共に、上記係止プレート６は、アングル材２に対する係止位置と、壁パネルＰとの当接位置との間隔が大きいので弾性変形し易く、上記の層間変形で壁パネルＰに面外方向の大きな力が作用した場合にも上記係止プレート６は良好に追従変形して上記の応力を軽減できるので耐震性や耐久性を向上させることができるものである。
【００２５】
なお、前記の壁パネルＰを支持プレート４に支持させる連結ボルト５と、係止プレート６を壁パネルＰに取付けると取付ボルト７とは、前記従来例と同様に壁パネルＰに形成した孔ｈ内に挿入したアンカー８ａ，８ｂの雌ねじ穴（不図示）に、それぞれねじ込んで固定するようにしたもので、図の場合は上記各アンカー８ａ，８ｂを挿入する孔ｈを、壁パネルＰの上下両端部における短尺小口面から縦方向に形成したが、側方の長尺小口面から横方向に形成してもよい。或いは上記のようなアンカー８ａ，８ｂを、壁パネルＰを製造する際に予めパネル内に埋設しておくようにしてもよい。また上記支持プレート４および係止プレート６には、それぞれ連結ボルト５と取付ボルト７とを挿通するためのボルト通し孔４ｃ，６ｃが設けられ、それらのボルト通し孔４ｃ，６ｃは図示例においては上下方向に長い長孔状に形成されている。
【００２６】
図６（ａ）および（ｂ）は支持プレート４の構成例を示すもので、その構成は適宜変更可能であるが、同図（ａ）は支持プレート４の中間部から前記の略√字状の折曲部４ａに至る部分を傾斜面に形成した例、（ｂ）は中間部から折曲部４ａに至る部分をほぼ直角に形成した例である。また上記（ａ）の折曲部４ａの幅は、（ｂ）の折曲部４ａの幅よりもやや広く形成されている。なお、図には省略したが、前記係止プレート６は、その折曲部６ａのパネル方向への突出高さが、支持プレート４の折曲部４ａのパネル方向への突出高さよりもやや高く形成する以外は、上記図６の支持パネル４と同様に形成すればよく、また係止プレート６の構成も上記支持パネル４と同様に適宜変更可能である。
【産業上の利用可能性】
【００２７】
上記のように本発明による壁パネルの取付構造は、支持プレート４と壁パネルＰとの間に空隙Ｓ１を設けると共に、上部をアングル材２に固着した支持プレート４の下端部を、折曲部４ａを介して壁パネルＰに当接させ、その支持プレート４のほぼ中央部に連結ボルト５を挿通して壁パネルＰを揺動可能に支持させるようにしたから、例えば風圧や地震などの外力が上記壁パネルに加わった場合においても、その壁パネルと、それ支持する支持プレートとの間に設けた上記の空隙によって支持プレートや連結ボルトに作用する応力や荷重を軽減することができると共に、上記壁パネルの連結ボルト挿通部に無理な力が作用してパネルにひび割れが生じたり破損するのを防止することができる。その結果、ＡＬＣパネル等の各種の壁パネルを耐震性や耐久性よく取付けることが可能となり、産業上も有効に利用できるものである。
【図面の簡単な説明】
【００２８】
【図１】本発明による壁パネルの取付構造の一実施形態を示す縦断面図。
【図２】上記壁パネルの取付構造の一部の斜視図。
【図３】（ａ）は図１の一部の拡大図、（ｂ）は間隔保持スペーサ装着部の縦断面図。
【図４】（ａ）は上記壁パネルの取付構造の要部の拡大斜視図、（ｂ）はその分解斜視図。
【図５】（ａ）は間隔保持スペーサの拡大斜視図、（ｂ）はその間隔保持スペーサをアングル材に装着した状態の断面図、（ｃ）は間隔保持スペーサの変更例の拡大斜視図。
【図６】（ａ）および（ｂ）は支持プレートの構成例を示す斜視図。
【図７】従来の壁パネル取付構造の一例を示す縦断面図。
【図８】上記従来例の壁パネル取付構造の一部の斜視図。
【符号の説明】
【００２９】
Ｐ  壁パネル
１  梁材
２  アングル材
２ａ  縦片
２ｂ  横片
３  受プレート
３ａ  折曲部
４  支持プレート
５  連結ボルト
６  係止プレート
７  取付ボルト
８ａ、８ｂ  アンカー
９  間隔保持スペーサ
９１、９２  対向片
９１ａ、９１ｂ  突部
９２ａ  折曲部
ｈ  孔
【図１】
2008196125.tif 000003
【図２】
2008196125.tif 000004
【図３】
2008196125.tif 000005
【図４】
2008196125.tif 000006
【図５】
2008196125.tif 000007
【図６】
2008196125.tif 000008
【図７】
2008196125.tif 000009
【図８】
2008196125.tif 000010